(57)【要約】【課題】見栄えがよく、製造も容易で、確実に起立領域を起き上らせることができる見開き構造体を提供する。【解決手段】連接したシート１６，１８が折り目１４に沿って折り畳み可能な台紙１２の内側に、前記折り目１４に跨って内側シート２０を貼り合わせ、該内側シート２０には、前記台紙１２の開閉中に起き上がる起立領域２４と、該起立領域２４を形成する切り込み線２６及び起立ガイド線２２，２８，３０と、支持領域３２を設ける。起立ガイド線２２，２８，３０をミシン目加工で形成することで、確実に起立領域２４を起き上らせることが可能になるとともに、製造が容易となる。また、起立領域２４に折り目がないため、見栄えを損なうことがない。更に、起立ガイド線２２，２８，３０を、内側シート２０の紙目と略直交する方向に形成することで、起立領域２４の起き上がりがより確実になる。【選択図】図１
2011079150.tif 000002
【特許請求の範囲】
【請求項１】
あらかじめ設定された折り目で折り畳まれる外側シートと、該外側シートを折り畳んだときに内側になるように、前記折り目に跨って前記外側シートに貼り合わせられる内側シートからなる見開き構造体であって、
前記内側シートが、
前記外側シートの折り目と重ならない位置において前記折り目と略平行に形成されており、少なくとも一方の端部が内側シートの側端に達する第１の起立ガイド線，
前記外側シートを平面状に開いたときに前記折り目に跨り、前記外側シートの開閉中に、前記第１の起立ガイド線を境にして前記外側シートに対して起き上がり、該外側シートに接着されない起立領域，
該起立領域の輪郭の一部を形成する切り込み線，
前記外側シートの折り目を挟んで前記第１の起立ガイド線と略平行に形成され、一端が前記切り込み線に達し、他端が前記内側シートの一方の側端に達する第２の起立ガイド線，
前記第１及び第２の起立ガイド線の間に、前記折り目と略平行に形成され、一端が前記切り込み線の一端に達し、他端が前記内側シートの一方の側端に達しており、前記第１の起立ガイド線及び切り込み線とともに、起立領域の輪郭を形成する第３の起立ガイド線，
前記第２及び第３の起立ガイド線と、前記切り込み線及び前記内側シートの一方の側端に囲まれており、前記台紙の開閉中に、前記第２の起立ガイド線を境にして前記外側シートに対して起き上がって起立領域の起立を支持し、前記台紙に接着されない支持領域，
を備えたことを特徴とする見開き構造体。
【請求項２】
前記第１〜第３の起立ガイド線が、前記内側シートの紙目に対して略直交する方向に形成されていることを特徴とする請求項１記載の見開き構造体。
【請求項３】
あらかじめ設定された折り目で折り畳まれる外側シート，
該外側シートの内側に重ねられており、前記外側シートとともに折り畳まれる内側シート，
前記内側シートに設けられており、折り畳んだ外側シート及び内側シートを開けた時に起立する起立領域，
前記起立領域の起立の際に折れ曲がる部位を示す複数の起立ガイド線，
を備えるとともに、
前記複数の起立ガイド線がミシン目加工により形成されたことを特徴とする見開き構造体。
【請求項４】
あらかじめ設定された折り目で折り畳まれる外側シートと、該外側シートを折り畳んだときに内側になるように、前記折り目に跨って前記外側シートに貼り合わせられる内側シートからなる見開き構造体であって、
前記内側シートが、
前記外側シートを平面状に開いたときに前記折り目に跨り、前記外側シートの開閉中に、前記外側シートに対して起き上がり可能，かつ、前記外側シートの折り目に沿ってスライド可能であって、前記外側シートの折り目と重なる位置に他の折り目を有し、該外側シートに接着されない起立領域，
該起立領域の主要部の輪郭を形成するとともに、両端部が、前記他の折り目の両側に位置し、かつ、内側シートの一方の縁部に達しないように位置する切り込み線，
前記他の折り目を挟んで一対形成されており、一端が前記切り込み線に達し、他端が前記内側シートの一方の縁部に達するように、前記他の折り目に対して斜めに形成された第１の起立ガイド線，
該一対の第１の起立ガイド線を挟んで一対形成されており、一端が前記切り込み線に達し、他端が前記内側シートの一方の縁部に達するように、前記第１の起立ガイド線と略平行に形成された第２の起立ガイド線，
前記第１及び第２の起立ガイド線と、前記切り込み線と前記内側シートの一方の縁部に囲まれ、前記第１の起立ガイド線を介して前記起立領域と連接しており、前記外側シートの開閉中に、前記第２の起立ガイド線を境にして前記外側シートに対して起き上がって前記起立領域の起立を支持し、前記外側シートに接着されない支持領域，
を備えるとともに、
前記外側シートを折り畳んだときに、前記外側シートの折り目，内側シートの他の折り目及び第２の起立ガイド線が谷折りになり、前記第１の起立ガイド線が山折りになることを特徴とする見開き構造体。
【請求項５】
前記起立領域，または、前記起立領域及び支持領域は、前記内側シートの側端側または縁部側の厚みが、厚く形成されていることを特徴とする請求項１〜４のいずれか一項に記載の見開き構造体。
【請求項６】
前記起立領域，または、前記起立領域及び支持領域を、前記内側シートの側端側または縁部側において折り曲げることで、前記側端側または縁部側の厚みを厚く形成したことを特徴とする請求項５記載の見開き構造体。
【請求項７】
前記外側シートと前記内側シートの間に、被収納物を収納するための収納部を設けたことを特徴とする請求項１〜６のいずれか一項に記載の見開き構造体。
【請求項８】
前記収納部に対応する部分の内側シート又は外側シートに、スリットないし切り抜き部を設けたことを特徴とする請求項７記載の見開き構造体。
【請求項９】
前記起立領域及び支持領域を除く内側シートのいずれかの部分，あるいは、前記外側シートに、任意の情報の表示部ないし記入部を設けたことを特徴とする請求項１〜８のいずれか一項に記載の見開き構造体。
【発明の詳細な説明】
【技術分野】
【０００１】
本発明は、カードや配布物などを開いたときに内側シートの一部が起き上がる見開き構造体に関するものである。
【背景技術】
【０００２】
従来、絵本などで、開いたときに模様などが起き上がる技術はよく知られている。また、カードやレターとしては、下記特許文献１に示す通信用封筒や、下記特許文献２に示すカードケースがある。前記特許文献１には、２つ折り以上に折り畳まれた通信用封筒の剥離糊を剥がして開封したとき、表面に印刷した模様が起立して、立体化する通信用封筒が開示されている。また、前記特許文献２には、カードケースを開いたときに、複数本の飛出片が連結手段で連結された装飾部が、蓋体の上方への開放時に前方へ飛出自在になるように設けられることが開示されている。更に、下記特許文献３には、台形状の起き上がり部を形成して、その上に画面紙を載せて折り目線がつかないようにした見開き冊子の立体画面構造が開示されている。
【先行技術文献】
【特許文献】
【０００３】
【特許文献１】特開平１０−７２０４０号公報
【特許文献２】実開平５−６５８４７号公報
【特許文献３】実開平２−１３６６９９号公報
【発明の概要】
【発明が解決しようとする課題】
【０００４】
しかしながら、前記特許文献１に記載の技術では、起立する模様に折り目線が生じ、見栄えを損なうという不都合がある。また、前記特許文献２に記載の技術は、折り目線を階段状に形成したものであるが、製造工程が煩雑であるほか、対象とする模様が制限されるという不都合がある。更に、前記特許文献３に記載の技術では、台紙への糊付けがワンアクションではないというように、起き上り部の形成が煩雑であるほか、画面紙を持ち上げるだけでは面白味に欠けるという不都合がある。また、以上のような起き上り片を起き上らせるためには、台紙の折り目と違う方向に折り曲げる部分が必要となるが、従来は、異なる方向に折れるように手作業で癖を付けなくてはならず手間がかかっていた。更に、従来は、上述した実施例１〜３のように、単純に台紙に対して起き上がるのみであり、必ずしも大きな視覚的効果が得られないという不都合がある。
【０００５】
本発明は、以上のような点に着目したもので、見栄えがよく、製造も容易で、確実に起立領域を起き上らせることができる見開き構造体を提供することを、その目的とする。他の目的は、視覚的効果が高い見開き構造体を提供することである。
【課題を解決するための手段】
【０００６】
本発明は、あらかじめ設定された折り目で折り畳まれる外側シートと、該外側シートを折り畳んだときに内側になるように、前記折り目に跨って前記外側シートに貼り合わせられる内側シートからなる見開き構造体であって、前記内側シートが、前記外側シートの折り目と重ならない位置において前記折り目と略平行に形成されており、少なくとも一方の端部が内側シートの側端に達する第１の起立ガイド線，前記外側シートを平面状に開いたときに前記折り目に跨り、前記外側シートの開閉中に、前記第１の起立ガイド線を境にして前記外側シートに対して起き上がり、該外側シートに接着されない起立領域，該起立領域の輪郭の一部を形成する切り込み線，前記外側シートの折り目を挟んで前記第１の起立ガイド線と略平行に形成され、一端が前記切り込み線に達し、他端が前記内側シートの一方の側端に達する第２の起立ガイド線，前記第１及び第２の起立ガイド線の間に、前記折り目と略平行に形成され、一端が前記切り込み線の一端に達し、他端が前記内側シートの一方の側端に達しており、前記第１の起立ガイド線及び切り込み線とともに、起立領域の輪郭を形成する第３の起立ガイド線，前記第２及び第３の起立ガイド線と、前記切り込み線及び前記内側シートの一方の側端に囲まれており、前記台紙の開閉中に、前記第２の起立ガイド線を境にして前記外側シートに対して起き上がって起立領域の起立を支持し、前記台紙に接着されない支持領域，を備えたことを特徴とする。主要な形態の一つは、前記第１〜第３の起立ガイド線が、前記内側シートの紙目に対して略直交する方向に形成されていることを特徴とする。
【０００７】
他の発明は、あらかじめ設定された折り目で折り畳まれる外側シート，該外側シートの内側に重ねられており、前記外側シートとともに折り畳まれる内側シート，前記内側シートに設けられており、折り畳んだ外側シート及び内側シートを開けた時に起立する起立領域，前記起立領域の起立の際に折れ曲がる部位を示す複数の起立ガイド線，を備えるとともに、前記複数の起立ガイド線がミシン目加工により形成されたことを特徴とする。
【０００８】
更に他の発明は、あらかじめ設定された折り目で折り畳まれる外側シートと、該外側シートを折り畳んだときに内側になるように、前記折り目に跨って前記外側シートに貼り合わせられる内側シートからなる見開き構造体であって、前記内側シートが、前記外側シートを平面状に開いたときに前記折り目に跨り、前記外側シートの開閉中に、前記外側シートに対して起き上がり可能，かつ、前記外側シートの折り目に沿ってスライド可能であって、前記外側シートの折り目と重なる位置に他の折り目を有し、該外側シートに接着されない起立領域，該起立領域の主要部の輪郭を形成するとともに、両端部が、前記他の折り目の両側に位置し、かつ、内側シートの一方の縁部に達しないように位置する切り込み線，前記他の折り目を挟んで一対形成されており、一端が前記切り込み線に達し、他端が前記内側シートの一方の縁部に達するように、前記他の折り目に対して斜めに形成された第１の起立ガイド線，該一対の第１の起立ガイド線を挟んで一対形成されており、一端が前記切り込み線に達し、他端が前記内側シートの一方の縁部に達するように、前記第１の起立ガイド線と略平行に形成された第２の起立ガイド線，前記第１及び第２の起立ガイド線と、前記切り込み線と前記内側シートの一方の縁部に囲まれ、前記第１の起立ガイド線を介して前記起立領域と連接しており、前記外側シートの開閉中に、前記第２の起立ガイド線を境にして前記外側シートに対して起き上がって前記起立領域の起立を支持し、前記外側シートに接着されない支持領域，を備えるとともに、前記外側シートを折り畳んだときに、前記外側シートの折り目，内側シートの他の折り目及び第２の起立ガイド線が谷折りになり、前記第１の起立ガイド線が山折りになることを特徴とする。
【０００９】
他の形態は、前記起立領域，または、前記起立領域及び支持領域は、前記内側シートの側端側または縁部側の厚みが、厚く形成されていることを特徴とする。更に他の形態は、前記起立領域，または、前記起立領域及び支持領域を、前記内側シートの側端側または縁部側において折り曲げることで、前記側端側または縁部側の厚みを厚く形成したことを特徴とする。更に他の形態は、前記外側シートと前記内側シートの間に、被収納物を収納するための収納部を設けたことを特徴とする。更に他の形態は、前記収納部に対応する部分の内側シート又は外側シートに、スリットないし切り抜き部を設けたことを特徴とする。更に他の形態は、前記起立領域及び支持領域を除く内側シートのいずれかの部分，あるいは、前記外側シートに、任意の情報の表示部ないし記入部を設けたことを特徴とする。本発明の前記及び他の目的，特徴，利点は、以下の詳細な説明及び添付図面から明瞭になろう。
【発明の効果】
【００１０】
本発明によれば、あらかじめ設定された折り目で折り畳まれる外側シートの内側に、前記折り目に跨って内側シートを貼り合わせ、(1)該内側シートには、前記外側シートの開閉中に起き上がる起立領域と、該起立領域を形成するための切り込み線及び複数の起立ガイド線を設ける，あるいは、(2)前記内側シートには、前記外側シートの開閉中に起立する起立領域と、該起立領域の起立の際に折れ曲がり、ミシン目加工で形成された複数の起立ガイド線を設けることで、見栄えが良く、製造も容易で、確実に起立領域を起き上らせることができる。
【００１１】
あるいは、あらかじめ設定された折り目で折り畳まれる外側シートの内側に、前記折り目に跨って内側シートを貼り合わせる。そして、前記内側シートには、前記外側シートの開閉中に、該外側シートに対して起き上がり、かつ、外側シートの折り目に沿ってスライド可能な起立領域と、該起立領域の輪郭を形成するための切り込み線と、前記外側シートの折り目に対して斜めに形成された複数の起立ガイド線を設けることとした。このため、外側シートを開いたときに複雑な起立動作を行い、視覚的効果を高めることができる。
【図面の簡単な説明】
【００１２】
【図１】本発明の実施例１を示す図であり、(A)は平面図，(B)は台紙を９０度程度に開いた状態を示す斜視図，(C)は前記(B)を矢印ＦＢ方向から見た側面図である。
【図２】前記実施例１の製造工程を示す平面図であり、(A)は台紙と内側シートの接着前の糊付け範囲を示す図，(B)は接着後の切り落とし部分を示す図である。
【図３】前記実施例１の変形例を示す図である。
【図４】本発明の実施例２を示す図であり、(A)は平面図，(B)及び(C)は台紙を開く過程を示す図，(D)は前記(A)を＃Ａ−＃Ａ線に沿って切断し矢印方向に見た断面図である。
【図５】本発明の他の実施例を示す図である。
【図６】本発明の他の実施例を示す図である。
【発明を実施するための形態】
【００１３】
以下、本発明を実施するための最良の形態を、実施例に基づいて詳細に説明する。
【実施例１】
【００１４】
最初に、図１〜図３を参照しながら本発明の実施例１を説明する。図１(A)は、本実施例の見開き構造体の平面図，(B)は台紙（外側シート）を９０度程度に開いた状態を示す斜視図，(C)は前記(B)を矢印ＦＢ方向から見た側面図である。図２は、本実施例の製造工程の一例を示す平面図であり、(A)は台紙と内側シートの接着前の糊付け範囲を示す図，(B)は接着後の切り落とし部分を示す図である。図３は、本実施例の変形例を示す図である。本実施例の見開き構造体１０は、折り目１４を介して連接したシート１６及び１８を、前記折り目１４に沿って折り畳み可能な台紙１２と、該台紙１２を折り畳んだときに内側になるように、前記折り目１４に跨って前記台紙１２に貼り合わせられる内側シート２０により構成されている。
【００１５】
前記折り目１４は、例えば、点線ミシン入れ，トムソン入れ，マイクロミシン入れ，スジ入れなどによって形成されており、該折り目１４を設けることによって、前記シート１６，１８を簡単に折り畳むことができるとともに、シート１６，１８を適度（例えば９０度程度）に開いた状態に維持しやすい。前記台紙１２及び内側シート２０としては、紙のほか、薄い金属，フィルム，合成紙，石油製品を原料とするシートなど、任意のものが利用可能である。
【００１６】
前記内側シート２０は、図１(A)及び(B)に示すように、第１の起立ガイド線２２，第２の起立ガイド線２８，第３の起立ガイド線３０，切り込み線２６によって、主たる表示内容や模様などを示す起立領域２４と、該起立領域２４を支持する支持領域３２が形成されるほか、折り目３４も備えている。前記第１の起立ガイド線２２は、前記台紙１２のシート１６側において、前記台紙１２の折り目１４と略平行に形成されるとともに、一方の端部が内側シート２０の一方の側端２０Ａに達し、他方の端部が内側シート２０の他方の側端２０Ｂに達しない長さに形成されている。前記起立領域２４は、前記台紙１２を平面状に開いたときに、前記折り目１４に跨るように形成されており、前記台紙１２に接着されておらず、前記台紙１２の開閉中に、前記第１の起立ガイド線２２を境にして前記シート１６に対して起き上がり可能となっている。また、前記切り込み線２６は、前記起立領域２４の輪郭の一部を形成しており、本実施例では、一方の端部２６Ａが、前記第１の起立ガイド線２２の端部に達し、他方の端部２６Ｂが、第３の起立ガイド線３０の端部に達している。
【００１７】
前記第２の起立ガイド線２８は、前記台紙１２のシート１８側において前記折り目１４と略平行に形成され、一端が前記切り込み線２６に達し、他端が前記内側シート側端２０Ａに達している。また、第３の起立ガイド線３０は、前記第１の起立ガイド線２２と第２の起立ガイド線２８の間に、前記折り目１４と略平行に形成され、一端が前記切り込み線２６の端部２６Ｂに達し、他端が前記内側シート側端２０Ａに達している。すなわち、第３の起立ガイド線３０は、前記第１の起立ガイド線２２，切り込み線２６，内側シート側端２０Ａとともに、前記起立領域２４の輪郭を形成している。一方、前記支持領域３２は、前記第２の起立ガイド線２８，第３の起立ガイド線３０，切り込み線２６，前記内側シート側端２０Ａに囲まれた部分によって形成されている。そして、前記台紙１２には接着されず、前記台紙１２の開閉中に、前記第２の起立ガイド線２８を境にして前記シート１８に対して起き上がり、起立領域２４の起立を支持する。
【００１８】
更に、折り目３４は、前記内側シート２０を、前記起立領域２４を除いて前記台紙１２と同位置で折り畳むためのものであって、前記台紙１２の折り目１４と同位置に形成されている。該折り目３４は、例えば、前記台紙１２の折り目１４と同じ方法（例えば、トムソン入れなど）によって形成されている。一方、前記第１の起立ガイド線２２，第２の起立ガイド線２８，第３の起立ガイド線３０は、ミシン目加工により形成されている。これは、ミシン目加工の部分は紙の強度が弱くなっており、台紙１２を折り畳んだときに、手作業で癖付けすることなく、所望の方向に折り曲げ可能となるためである。例えば、本実施例では、台紙１２の開閉中に起立領域２４を起き上らせるためには、前記折り目３４，第１の起立ガイド線２２，第２の起立ガイド線２８を前記折り目１４と同方向に折り、第３の起立ガイド線３０を逆方向に折る必要があるが、前記ガイド線２２，２８，３０をミシン目加工で形成することにより、台紙１２を畳むだけで容易に所望の方向への折り曲げが可能となる。
【００１９】
また、本実施例では、前記ガイド線２２，２８，３０のミシン目加工に加え、これらガイド線２２，２８，３０が、前記内側シート２０の紙目（図１(A)に矢印ＦＡで示す方向）と略直交するように形成している。このため、前記内側シート２０は、前記ガイド線２２，２８，３０以外の部分では、紙目と直交する方向には折りにくくなり、確実に前記ガイド線２２，２８，３０の位置での折り曲げが可能となる。
【００２０】
次に、本実施例の製造方法の一例を示すと、まず、図２(A)に示すように、台紙１２と内側シート２０が折り目３６を介して連接したシートを用意し、台紙１２側には折り目１４を形成し、内側シート２０側には、第１の起立ガイド線２２，第２の起立ガイド線２８，第３の起立ガイド線３０，切り込み線２６，折り目３４を形成する。このとき、上述したように、前記起立ガイド線２２，２８，３０が、内側シート２０の紙目と略直交するように方向を設定する。そして、図２(A)に示すように、起立領域２４及び支持領域３２を除く部分に接着剤３８を塗布し、折り目３６を介して台紙１２と内側シート２０を重ねて貼り合わせる。その後、図２(B)に示すように、切り落とし線Ｌ１及びＬ２に沿って、縁部の不要部分を切り落とすことによって、折り曲げ前の見開き構造体１０が形成される。
【００２１】
該見開き構造体１０は、ガイド線２２，２８，３０を、内側シート２０の紙目と略直交する方向にミシン目で形成されており、更に、前記切り込み線２６の縁部４０が接着剤３８によって台紙１２と貼り合わせられている。このため、前記台紙１２を折り目１４に沿って折るだけで、ガイド線２２，２８，３０を所望の方向に折り、更に、台紙１２を開くときに、前記起立領域２４及び支持領域３２を確実に立ち上がらせることができる。なお、前記起立領域２４及び支持領域３２は、前記台紙１２を完全に開いた状態では、台紙１２に沿ってしまうため、起き上り状態を維持するためには、シート１６及び１８を適当な角度で維持しておくことが好ましい。
【００２２】
このように、実施例１によれば、折り目１４を介して連接したシート１６，１８を、前記折り目１４に沿って折り畳み可能な台紙１２の内側に、前記折り目１４に跨って内側シート２０を貼り合わせ、該内側シート２０には、前記台紙１２の開閉中に起き上がる起立領域２４と、該起立領域２４を形成するための切り込み線２６及び複数の起立ガイド線２２，２８，３０を設ける。そして、前記起立ガイド線２２，２８，３０をミシン目加工で形成することとしたので、製造が容易で、確実に起立領域２４を起き上らせることができるという効果がある。また、前記起立領域２４に折り目がないため、見栄えを損なうことがない。更に、前記起立ガイド線２２，２８，３０を、前記内側シート２０の紙目と略直交する方向に形成したので、起立ガイド線２２，２８，３０で折れやすくなり、起立領域２４の起き上がりをより確実にすることができる。更に、台紙１２と内側シート２０を貼り合わせる接着剤３８を、前記切り込み線２６の縁部４０にも設けることにより、一層起立領域２４の起き上がりが良好となる。
【００２３】
＜変形例＞・・・次に、図３を参照しながら、本実施例の変形例を説明する。なお、上述した図１及び図２に示す実施例と同一ないし対応する構成要素には同一の符号を用いることとする（以下の実施例についても同様）。まず、図３(A)に示す見開き構造体１０Ａは、前記台紙１２のシート１６に、折り目４２を介して延設片４４が連接している。また、前記シート１６と内側シート２０を、一方の縁部２０Ｃを除いて接着剤３８によって貼り合わせることにより、被収納物５０を収納するための収納部４８が形成されている。前記被収納物５０としては、レターやメモ，名刺などのようにシート状のものが好適な例であるが、前記収納部４８に収納可能な寸法・形状のものであれば、どのようなものを収納してもよい。図示の例では、前記延設片４４の縁部に凸部４６が形成されており、台紙１２のシート１８の縁部側に設けられた切り込み５２に差し込むことで、台紙１２が簡単に開かないようになっている。
【００２４】
次に、図３(B)に示す見開き構造体１０Ｂは、台紙１２の一方のシート１６が、他方のシート１８よりも長く形成されており、その縁部１１Ａ近傍に、略半月形の切り込み５８を備えている。また、前記台紙１６と内側シート２０は、内側シート側端２０Ａ側を除いて接着剤３８で貼り合わせられており、内側に収納部５４が形成されている。該収納部５４部分の内側シート２０は、前記被収納物５０の取り出しや内容確認などをするための窓５６が形成されている。むろん、窓５６の位置や形状は一例であり、左右に設けるようにしてもよい。このような見開き構造体１０Ｂは、前記折り目１４に沿って台紙１２を折り曲げ、前記切り込み５８によって形成された係止片６０を、シート１８の縁部１１Ｂに掛けることで、容易に開かないようにすることができる。なお、台紙１２の一方のシート１６の背面側にも窓ないし切り抜き（図示せず，）を設けるようにしてもよい。このようにすると、見開き構造体１０Ｂを折り畳んだ状態（図３(B)の左側の状態）において、前記背面側の窓から被収納物５０の裏面を見ることができ、被収納物５０の裏面を有効利用することができる。特に、郵便物とするときは、前記被収納物５０の裏面に住所や氏名を表示し、シート１６の背面側の窓を透明なフィルムで覆うようにすると好都合である。図３(A)の例についても同様である。
【実施例２】
【００２５】
次に、図４を参照しながら本発明の実施例２を説明する。図４(A)は、本実施例の見開き構造体の平面図，(B)及び(C)は台紙（外側シート）を開く過程を示す斜視図，(D)は前記(A)を＃Ａ−＃Ａ線に沿って切断し矢印方向に見た断面図である。本実施例の見開き構造体１００は、折り目１０４を介して連接したシート１０６，１０８を、前記折り目１０４に沿って折り畳み可能な台紙（外側シート）１０２と、該台紙１０２を折り畳んだときに内側になるように、前記折り目１０４に跨って前記台紙１０２に貼り合わせられる内側シート１１０により構成されている。前記内側シート１１０は、起立領域１１２，支持領域１２４Ａ及び１２４Ｂ，一対の第１の起立ガイド線１２０Ａ及び１２０Ｂと、一対の第２の起立ガイド線１２２Ａ及び１２２Ｂ，切り込み線１１６のほか、前記折り目１０４と同位置に形成された折り目１１４Ａ及び１１４Ｂを含んでいる。これら折り目は、公知の各種の加工により形成される。
【００２６】
前記起立領域１１２は、前記台紙１０２を平面状に開いたときに、前記折り目１０４に跨るように設定されており、前記台紙１０２に接着されておらず、前記台紙１０２の開閉中に、前記台紙１０２に対して矢印Ｆ５方向（図４(C)参照）に起き上がり可能，かつ、前記折り目１０４に沿ってスライド可能（図４(B)及び(C)の矢印Ｆ４参照）であって、前記折り目１０４と重なる位置に前記折り目１１４Ａを有している。前記切り込み線１１６は、前記起立領域１１２の主要部の輪郭を形成するとともに、両端部１１６Ａ，１１６Ｂが、前記折り目１１４Ａの両側に位置し、かつ、内側シート１１０の一方の縁部１１１Ａに達しない位置となるように形成されている。また、前記切り込み線１１６は、前記端部１１６Ａ，１１６Ｂの近傍に、曲部１１８Ａ，１１８Ｂを備えている。
【００２７】
一対の第１の起立ガイド線１２０Ａ，１２０Ｂは、前記折り目１１４Ａを挟んで一対形成されており、一端が前記切り込み線１１６の曲部１１８Ａ，１１８Ｂに達し、他端が前記内側シート縁部１１１Ａに達するように、前記折り目１１４に対して斜めに形成されている。他の一対の第２の起立ガイド線１２２Ａ，１２２Ｂは、前記一対の第１の起立ガイド線１２０Ａ，１２０Ｂを挟んで形成されており、一端が前記切り込み線１１６の端部１１６Ａ，１１６Ｂに達し、他端が前記内側シート縁部１１１Ａに達するように、前記第１の起立ガイド線１２０Ａ，１２０Ｂと略平行に形成されている。また、前記内側シート縁部１１１Ａ側には、前記第２の起立ガイド線１２２Ａの端部から、前記第１の起立ガイド線１２０Ａ，１２０Ｂの端部近傍を通過して、前記折り目１２２Ｂの端部に達する折り目１２６が形成されている。
【００２８】
本実施例では、前記切り込み線１１６，一対の第１の起立ガイド線１２０Ａ及び１２０Ｂ，内側シート縁部１１１Ａ（あるいは折り目１２６）によって、前記起立領域１１２が形成されている。一方、前記支持領域１２４Ａ，１２４Ｂは、前記一対の第１の起立ガイド線１２０Ａ及び１２０Ｂと、一対の第２の起立ガイド線１２２Ａ及び１２２Ｂと、切り込み線１１６と、内側シート縁部１１１Ａ（あるいは折り目１２６）によって形成されている。該支持領域１２４Ａ，１２４Ｂは、前記一対の第１の起立ガイド線１２０Ａ，１２０Ｂを介して前記起立領域１１２と連接しており、前記台紙１０２には接着されておらず、前記台紙１０２の開閉中に、前記一対の第２の起立ガイド線１２２Ａ，１２２Ｂを境にして前記台紙１０２に対して起き上がり、前記起立領域１１２の起立とスライドを支持している。更に、本実施例では、前記折り目１２６と内側シート縁部１１１Ａによって区切られた領域は、図４(A)に矢印で示すように、内側に折り曲げ可能な折り返し部１２８として利用可能となっており、図４(D)に示すように、台紙１０２を折り畳んだときに、起立領域１１２の下端側が内側シート縁部１１１Ａからはみ出すのを防止することができる。また、縁部１１１Ａ側の厚みが厚くなるため、台紙１０２を開いたときの起立動作を良好に行うことができる。
【００２９】
以上のような構成の見開き構造体１００は、前記台紙１０２を折り目１０４に沿って折り畳んだときに、前記台紙の折り目１０４，内側シートの折り目１１４Ａ及び１１４Ｂ，一対の第２の起立ガイド線１２２Ａ及び１２２Ｂが谷折りになり、一対の第１の起立ガイド線１２０Ａ，１２０Ｂが山折りになって折り畳まれる。そして、前記台紙１０２を、図４(B)及び(C)に示すように開くと、支持領域１２４Ａ，１２４Ｂに支持された起立領域１１２が、台紙１０２の折り目１０４に沿って矢印Ｆ４方向にスライドしながら、台紙１０２に対して矢印Ｆ５方向に起き上がる。
【００３０】
このように、実施例２によれば、折り目１０４を介して連接したシート１０６，１０８を、前記折り目１０４に沿って折り畳み可能な台紙１０２の内側に、前記折り目１０４に跨って内側シート１１０を貼り合わせる。そして、前記内側シート１１０は、前記台紙１０２を開いたときに、前記台紙１０２に対して起き上がり、かつ、台紙の折り目１０４に沿ってスライド可能な起立領域１１２と、該起立領域１１２の輪郭を形成するための切り込み線１１６と、前記台紙の折り目１０４に対して斜めに形成された複数の起立ガイド線１２０Ａ，１２０Ｂ，１２２Ａ，１２２Ｂを含むこととした。このため、台紙１０２の開閉中に起立領域１１２が複雑な起立動作を行い、視覚効果を高めることができる。また、前記起立領域１１２と、支持領域１２４Ａ及び１２４Ｂの縁部１１１Ａ側を、折り目１２６に沿って内側に折り曲げることで厚みが増すため、より起立動作がよりスムースになるという効果も得られる。
【００３１】
なお、本発明は、上述した実施例に限定されるものではなく、本発明の要旨を逸脱しない範囲内において種々変更を加え得ることができる。例えば、以下のものも含まれる。
(1)前記実施例１では、台紙１２と内側シート２０は、一枚の紙を折り曲げて接着した後に、不要な縁部を切り落とすこととしたが、これも一例であり、独立したシートを貼り合わせるようにしてもよい。他の実施例についても同様である。
(2)前記実施例１では、台紙１２に折り目１４を一つだけ設けることとしたが、２箇所以上で折り曲げ可能な構成としてもよい。また、台紙１２の折り目１４は、ミシン目加工が一般的であるが、他の公知の各種の加工であってもよい。他の実施例についても同様である。
(3)前記実施例で示した起立領域２４，１１２の形状は一例であり、必要に応じて適宜変更してよい。
(4)前記起立ガイド線のミシン目加工としては、それに類する各種の加工も含まれる。
【００３２】
(5)図５(A)に示す見開き構造体１０Ｃのように、起立領域２４及び支持領域３２を除く内側シート２０の任意の部分に、ＱＲコード１５０などを設け、大量情報に容易にアクセスできるようにしてもよい。あるいは、台紙１２のいずれかの部分に前記ＱＲコード１５０などを設けてもよい。むろん、実施例２についても同様である。また、前記見開き構造体１０Ｃに示すように、第３の起立ガイド線１４０を、台紙１２の折り目１４と一致する位置に形成してもよい。
(6)また、図５(B)に示す見開き構造体１０Ｄのように、内側シート２０の縁部１１Ｂ側に、メッセージなどを書き込み可能な書き込みスペース１５２を設けるようにしてもよいし、縁部１１Ａ側に、スタンプラリー用のスタンプ押印スペース１５４を設けるようにしてもよい。むろん、台紙１２側に前記書き込みスペース１５２やスタンプ押印スペース１５４を設けるようにしてもよい。実施例２についても同様である。
【００３３】
(7)図５(C)に示す見開き構造体１０Ｅのように、内側シート２０に、カレンダー１６０の角部を差し込むためのスリット１５６，１５８を設けるようにしてもよい。該スリット１５６，１５８に差し込み保持するものとしては、前記カレンダー１６０に限定されるものではなく、メモ，名刺，手紙など、シート状の各種の被保持体が適用可能である。
(8)前記実施例１では、起立ガイド線２２，２８，３０を、紙目と直交するように形成したが、起立ガイド線２２，２８，３０がミシン目加工により形成されていれば、紙目に対する方向は、必要に応じて直交にすればよい。あるいは、図５(D)に示す見開き構造体１０Ｆのように、起立ガイド線２２Ａ，２８Ａ，３０Ａが、内側シート２０の紙目（矢印ＦＡ方向）と略直交していれば、起立領域２４の確実な起立が可能となるため、前記起立ガイド線２２Ａ，２８Ａ，３０Ａをミシン目加工とせずに、他の公知の各種の加工によって形成してもよい。
【００３４】
(9)図５(E)に示す見開き構造体２００のように、内側シート２１０に第１の起立ガイド線２１２と、一対の第２の起立ガイド線２１８Ａ及び２１８Ｂと、一対の第３の起立ガイド線２２０Ａ及び２２０Ｂと、切り込み線２１６を設け、該切り込み線２１６と、第１の起立ガイド線２１２と、内側シート２１０の両側端によって起立領域２１４を形成するようにしてもよい。図示の例では、前記切り込み線２１６の一方の端部２１６Ａ側に、切り込み線２１６と、第２の起立ガイド線２１８Ａと、第３の起立ガイド線２２０Ａと、内側シート２１６の側端によって囲まれた支持領域２２２Ａが形成され、他方の端部２１６Ｂ側に、切り込み線２１６と、第２の起立ガイド線２１８Ｂと、第３の起立ガイド線２２０Ｂと、内側シートの他方の側端によって囲まれた支持領域２２２Ｂが形成される。また、前記内側シート２１０と台紙１２のシート１６の間には、被収納物２３２を収納可能な収納部２３０が形成されており、内側シート２１０に設けた切り込み２３４によって、出し入れが容易になっている。なお、本例では、起立領域２１４の輪郭の一部として内側シート２１０の側端を利用しているが、図５(E)に点線で示すように、台紙１２の折り目１４に跨って形成された他の切り込み線２２４を輪郭の一部としてもよい。
【００３５】
(10)前記図３(A)に示す例では、台紙１２のシート１６側に延設片４４を設け、シート１８の縁部側を塞ぐように折り返す構造としたが、前記シート１８の全体を被覆可能な構成としてもよい。例えば、図６(A)に示す見開き構造体１０Ｇは、台紙１２のシート１６に、折り目２４２を介してシート２４０が連接されている。該シート２４０は、前記折り目２４２に沿って図６(B)に示すように折り返したときに、前記シート１８のほぼ全体を被覆可能な寸法及び形状に形成されている。前記シート２４０は、図６(B)に示すようにシート１８側に折り返すときには、該シート１８に剥離可能に接着することで、見開き構造体１０Ｇに封をすることができる。また、前記シート２４０を、図６(C)に示すように、シート１６側に折り返し、必要に応じて前記シート１６に剥離可能に接着してもよい。この場合、紙面２４０Ｂ側に広告や宣伝内容，協賛企業や支援団体などを表示することで、これらの情報を強調しすぎることなく掲載することができる。また、図６(C)に示すように折り返す場合には、前記紙面２４０Ｂに任意の広告内容を表示し、他方の紙面２４０Ａには、例えば「興味のない方は開けないで下さい」という注意書きを設けることで、興味をあおり開封率を向上させるようにしてもよい。更に、図６(D)に示す例のように、前記シート１６（又はシート１８）に、他のシート２４６を剥離可能に接着し、内側に各種情報などを掲載してもよい。
【００３６】
(11)前記実施例２の第１の起立ガイド線１２０Ａ，１２０Ｂと、第２の起立ガイド線１２２Ａ，１２２Ｂを、ミシン目加工などにより形成してもよいし、これら起立ガイド線１２０Ａ，１２０Ｂ，１２２Ａ，１２２Ｂの形成方向を、内側シート１１０の紙目と直交するように設定してもよい。
(12)前記実施例２では、起立領域１１２と、支持領域１２４Ａ及び１２４Ｂの縁部側を、折り目１２６で折り返すこととしたが、これも一例であり、前記折り目１２６に沿って切り落とし、縁部１１１Ａからはみ出すのを防止してもよい。あるいは、前記折り目１２６に沿って切り落とし、裏側を裏打ちしてもよい。
(13)本発明の見開き構造体は、郵便，メール便，ポスティング，チラシ，パンフレット，手配り，カタログ，雑誌封入品，お土産品，カレンダー，メモ用紙，名刺などのほか、寸法の大小を問わず、他の公知の各種の見開き構造を有する構造体全般に適用可能である。
【産業上の利用可能性】
【００３７】
本発明によれば、製造が容易であり、折り畳み可能な外側シートの内側に設けた内側シートの一部の領域が、外側シートの開閉中に、見栄えを損なうことなく確実に起き上がる，あるいは、複雑な起立動作を行って視覚的効果を高めることとしたので、外側シートを開いたときに内側シートの一部が起き上がる見開き構造体の用途に適用できる。特に、カードや配布物などの用途に好適である。
【符号の説明】
【００３８】
１０，１０Ａ〜１０Ｇ：見開き構造体
１１Ａ，１１Ｂ：縁部
１２：台紙（外側シート）
１４：折り目
１６，１８：シート
２０：内側シート
２０Ａ，２０Ｂ：側端
２０Ｃ：縁部
２２，２２Ａ：第１の起立ガイド線
２４：起立領域
２６：切り込み線
２６Ａ，２６Ｂ：端部
２８，２８Ａ：第２の起立ガイド線
３０，３０Ａ：第３の起立ガイド線
３２：支持領域
３４，３６：折り目
３８：接着剤
４０：縁部
４２：折り目
４４：延設片
４６：凸部
４８：収納部
５０：被収納物
５２：切り込み
５４：収納部
５６：窓
５８：切り込み
６０：係止片
１００：見開き構造体
１０２：台紙（外側シート）
１０４：折り目
１０６，１０８：シート
１１０：内側シート
１１１Ａ，１１１Ｂ：縁部
１１２：起立領域
１１４Ａ，１１４Ｂ：折り目
１１６：切り込み線
１１６Ａ，１１６Ｂ：端部
１１８Ａ，１１８Ｂ：曲部
１２０Ａ，１２０Ｂ：第１の起立ガイド線
１２２Ａ，１２２Ｂ：第２の起立ガイド線
１２４Ａ，１２４Ｂ：支持領域
１２６：折り目
１２８：折り返し部
１４０：第３の起立ガイド線
１５０：ＱＲコード
１５２：書き込みスペース
１５４：スタンプ押印スペース
１５６，１５８：スリット
１６０：カレンダー
２００：見開き構造体
２１０：内側シート
２１２：第１の起立ガイド線
２１４：起立領域
２１６：切り込み線
２１６Ａ，２１６Ｂ：端部
２１８Ａ，２１８Ｂ：第２の起立ガイド線
２２０Ａ，２２０Ｂ：第３の起立ガイド線
２２２Ａ，２２２Ｂ：支持領域
２２４：切り込み線
２３０：収納部
２３２：被収納物
２３４：切り込み
２４０：シート
２４０Ａ，２４０Ｂ：紙面
２４２：折り目
２４６：シート
Ｌ１，Ｌ２：切り落とし線
【図１】
2011079150.tif 000003
【図２】
2011079150.tif 000004
【図３】
2011079150.tif 000005
【図４】
2011079150.tif 000006
【図５】
2011079150.tif 000007
【図６】
2011079150.tif 000008